(57)【要約】  【課題】低コストで、操作性、視認性のよい空調ユニットを搭載した農産物等の貯蔵を行う物品貯蔵装置を提供することを目的とする。  【解決手段】冷却ユニット５の正面壁に操作部２１を組込み、その冷却ユニット５を、貯蔵庫１の扉体３を具備する側のコーナー部に配置した構成であり、操作部２１の組込みにより、冷却ユニット５と操作部２１の接続コードの短縮化が可能となり、接続コード保護のための部品構成を不要として低コスト化が可能となる。また、冷却ユニット５の配置箇所により、操作部２１の操作をし易くし、加えて、操作部２１の設定操作、および温度表示等の目視確認も見易くすることができる。【選択図】図１
2010096467.tif 000002
【特許請求の範囲】
【請求項１】
物品を収納貯蔵する貯蔵室と、前記貯蔵室の一面に設けられ、該貯蔵室内の開閉を行う扉体と、前記貯蔵室の天井部に配置され、該貯蔵室内に少なくとも温度調節された空調空気を供給する空調ユニットと、前記空調ユニットの運転内容を制御設定し、前記貯蔵室内への供給空気の温度設定を行う操作手段を具備した物品貯蔵装置において、前記空調ユニットを、機械室と断熱体によって囲われた冷却室が形成された本体と、前記冷却室に形成され、かつ前記貯蔵室内に開口した吸込み口および吹出し口と、前記断熱体の内部に配置された冷却器および冷却器用送風機および前記冷却器の結露水を受けるドレン皿と、前記機械室内に配置され、前記冷却器と共に冷凍サイクルを形成する圧縮機および放熱器および放熱器用送風機と前記放熱器用送風機の風下側に配置し、前記ドレン皿からの結露水を受けて蒸発させる蒸発皿を具備する構成とし、前記空調ユニットを、前記貯蔵室の天面における前記扉体に近いコーナー部に配置し、さらに前記操作手段を、前記空調ユニットの前記扉体側から目視できる側面に設けた物品貯蔵装置。
【請求項２】
前記操作手段を設けた空調ユニットの側面を、前記扉体と同面に位置する側面とした請求項１に記載の物品貯蔵装置。
【請求項３】
前記貯蔵室の扉体と対向する開口周縁に、結露防止用のヒーターを配置し、該ヒーターの配線を、前記貯蔵室の天面から前記空調ユニットの機械室側の床面へ直接引き込み、前記空調ユニットの制御装置へ接続して電源供給を行うようにした請求項１または２に記載の物品貯蔵装置。
【請求項４】
前記貯蔵室の床面下部にドレン受けを設け、前記ドレン受けに、前記空調ユニットから排出される結露水を導くドレンホースを接続した請求項１から３のいずれか一項に記載の物品貯蔵装置。
【請求項５】
前記空調ユニットの少なくとも吹出し口を、本体の冷却室におけるコーナー部に設けた請求項１から４のいずれか一項に記載の物品貯蔵装置。
【発明の詳細な説明】
【技術分野】
【０００１】
本発明は、米穀類、野菜等の農産物、あるいは食品等の如く所定の範囲の温度で貯蔵（保存）を要する物品の貯蔵装置に関するものである。
【背景技術】
【０００２】
従来、この種の貯蔵装置として、農産物を対象とした低温貯蔵庫が知られている（例えば特許文献１参照）。
【０００３】
以下、図面を参考にしながら上記従来の農産物低温貯蔵庫について説明する。
【０００４】
図５は、従来の農産物低温貯蔵庫の斜視図である。
【０００５】
図５において、貯蔵庫１０１は、天上部に冷却ユニット１０２を配置し、前面上部に運転内容等の設定を行う操作器１０３が設けられ、また、前面には、扉１０４が開閉可能に設けられている。
【０００６】
冷却ユニット１０２は、前述の如く、前面に扉１０４を有した断熱性の高い貯蔵庫１０１の天井面に載せられ、落下、転倒しないようにボルトなどで固定されている。さらに、冷却ユニット１０２を覆い隠すように外装パネル１０５が設けられている。
【０００７】
また、冷却ユニット１０２は、貯蔵庫１０１の天井面の開口（図示せず）にあわせて冷却ユニット１０２の冷却側が接続されており、また、冷却ユニット１０２の冷却側から出された冷気の循環が適切になるように、貯蔵庫１０１の略中央部に位置するよう設置されている。さらに、貯蔵室内には、冷却ユニット１０２から下方に吹き出された冷気を、水平方向に循環するように規制するダクト（図示せず）を設けており、庫内の温度分布ムラがでないような配慮がなされている。
【０００８】
一方、農産物低温貯蔵庫は、通常２℃から１５℃程度の範囲で貯蔵物により最適な温度になるように温度調節できる機能を有しており、温度設定をする際には、冷却ユニット１０２に配置された温度設定器（図示せず）で適温に設定するか、もしくは、貯蔵庫１０１の扉１０４に配置された温度設定器（図示せず）にて設定することが一般的である。
【０００９】
この操作部（操作器１０３）の配置については、図６に示す如く貯蔵室の天面に配置された冷却ユニット１０２（またはその一部）を覆い隠すように扉面と同一面上にパネル１０５を別に設け、そのパネル１０５部分に操作器１０３を配置するタイプ以外に、操作器１０３を直接貯蔵庫扉面に埋め込み配置し、操作器１０３と冷却ユニット１０２の接続配線を、扉パネル断熱材の内部を通した後に天井面で接続しているもの等がある。
【００１０】
また、前記貯蔵室の扉１０４周りの結露を防止するために、通常、貯蔵室側の扉ガスケット面と接触する部分に結露防止用ヒーター（図示せず）を埋め込み配置しているが、その結露防止用ヒーターの電源は、冷却ユニット１０２から供給していることが多く、そのため、その配線接続を、貯蔵室天面で冷却ユニット１０２と接続し、かつ接続コードは充電部の露出防止や、ねずみかじり防止の観点から別途金属カバー等で保護している。
【００１１】
次に、図６により、冷却ユニット１０２の内部構成について簡単に説明する。
【００１２】
図６において、冷却ユニット１０２の内部は、断熱体１１１によって断熱構成とされた冷却室１１２と、断熱体１１１によって冷却室１１２と区画された機械室１１３が形成されている。
【００１３】
冷却室１１２には、冷却器１１４、冷却器用送風機１１５、および冷却器１１４を挟んで同一底面に位置する冷気吸込口１１６と冷気吹出し口１１７が設けられている。また、機械室１１３には、圧縮機１１９、放熱器１２０、放熱器用送風機１２１が設けられている。
【００１４】
冷却ユニット１０２の冷却器１１４の下部には、ドレン皿１２２が配設され、さらにドレン皿１２２には、機械室１１３の蒸発皿１２３へドレン水を排水する通水管１２４を設けている。さらに、蒸発皿１２３には、通水管１２４から流入したドレン水に対し、熱伝達可能に冷媒回路の圧縮機１１９の吐出側の冷媒配管１１９ａが配置されている。
【００１５】
以上のように構成された農産物低温貯蔵庫について、以下その動作について説明する。
【００１６】
貯蔵庫１０１の内部は、冷却ユニット１０２の冷却器１１４により冷却された冷気を、冷気吹出し口１１７から導入することで冷却される。この冷却時において、貯蔵室内の空気中の水分が冷却器１１４の表面で凝縮してドレン水となり、ドレン皿１２２上に滴下する。
【００１７】
また、運転時間の経過と共に冷却器１１４の表面に水分が結露し、霜となって徐々に蓄積する。冷却器１１４に付着した霜が多くなると、適当な時期に除霜運転が行われる。この時も、冷却器１１４の表面に付着していた霜が解けてドレン皿１２２上に滴下する。ドレン皿１２２上に滴下したドレン水は、通水管１２４を経て蒸発皿１２３に流入する。そして、蒸発皿１２３に流入したドレン水は、放熱器１２０で暖められた排熱と、冷媒配管を流通する高温冷媒の熱を受けて蒸発する。
【特許文献１】特開２００３−３５４８２号公報
【発明の開示】
【発明が解決しようとする課題】
【００１８】
しかしながら、上記従来のような農産物低温貯蔵庫の構成では、冷却ユニット１０２と操作器１０３の接続に関し、接続コードが長く、接続部の保護のためカバーが別途必要になる等コストがかかるという欠点があった。
【００１９】
また、冷却ユニット１０２と操作部が一体となったものも存在するが、冷却ユニット１０２が貯蔵室天面の略中央部に配置されているため、操作がし難い、あるいは貯蔵室内部の温度表示が見え難いという欠点があった。
【００２０】
さらに詳述すると、農産物低温貯蔵庫の貯蔵室は、一般に３０ｋｇの米袋で６段から７段に上積みされ、それを並列に並べることにより容量を確保する構成であり、そのため、貯蔵室だけで１．５ｍ程度の高さを必要とする。
【００２１】
そのため、冷却ユニット１０２と操作器１０３が一体となったものは、冷却ユニット１０２の高さ寸法が２５〜３０ｃｍ程度高くなり、かつ貯蔵室天面の略中央部に冷却ユニット１０２が配置されることと伴い、操作器１０３の操作がし難く、また、表示部が見え難い等の課題があった。
【００２２】
これを解決するために、扉１０４の前面に操作器１０３を埋め込み、操作性、視認性をよくしたものも実在しているが、かかる構成は、冷却ユニット１０２と扉に埋め込んだ操作器１０３との接続を、扉１０４のヒンジ部に設けた中継コネクタ（図示せず）を介して行い、さらに、操作器１０３と接続線の保護のために、板金製等の保護カバー（図示せず）を設ける必要があり、部品数が多く、コストがかかっていた。
【００２３】
さらに、従来の構成は、冷却ユニット１０２が貯蔵室天面の略中央に配置されるものの、冷気吹出し口１１７が一つであるため、冷気の分布の一様化には限界があった。
【００２４】
本発明は、上記従来の課題を解決するもので、低コストで、操作性、視認性のよい物品貯蔵装置を提供することを目的とするものである。
【課題を解決するための手段】
【００２５】
上記従来の課題を解決するために、本発明の物品貯蔵装置は、貯蔵装置の扉側に近いコーナー部に空調ユニットを配置し、前記空調ユニットに、該空調ユニットの少なくとも運転内容を設定する操作手段を一体化して配置したものである。
【００２６】
かかる構成により、空調ユニットと操作手段の接続において、接続コードを短くでき、接続部の保護のためのカバーも不要となり、コストの低減化が可能となるものである。
【００２７】
さらに、空調ユニットを配置するコーナー部を、貯蔵装置の扉側に近いコーナー部とすることにより、冷却ユニットと一体化した操作手段の操作もし易くなり、さらに設定温度等の操作手段による表示内容も見易くすることができる。
【発明の効果】
【００２８】
本発明の物品貯蔵装置は、空調ユニットと操作手段の接続において、接続コードを短くでき、接続部の保護のためのカバーも不要となり、低コスト化がはかれるものである。
【００２９】
さらに、前記空調ユニットを、貯蔵装置の扉側に近いコーナー部に設置したことにより、操作手段の操作がし易い位置となり、また、操作部での表示内容も見易く、操作内容の目視確認を容易に行うことができる。
【００３０】
また、前記空調ユニットのコーナー部への設置に伴い、貯蔵室内における対角方向への送風が可能となり、その結果、温度調節した空気の貯蔵室内での分布が良好となり、温度分布のムラを少なくし、貯蔵環境を良化することができる。
【発明を実施するための最良の形態】
【００３１】
請求項１に記載の発明は、物品を収納貯蔵する貯蔵室と、前記貯蔵室の一面に設けられ、該貯蔵室内の開閉を行う扉体と、前記貯蔵室の天井部に配置され、該貯蔵室内に少なくとも温度調節された空調空気を供給する空調ユニットと、前記空調ユニットの運転内容を制御設定し、前記貯蔵室内への供給空気の温度設定を行う操作手段を具備した物品貯蔵装置において、前記空調ユニットを、機械室と断熱体によって囲われた冷却室が形成された本体と、前記冷却室に形成され、かつ前記貯蔵室内に開口した吸込み口および吹出し口と、前記断熱体の内部に配置された冷却器および冷却器用送風機および前記冷却器の結露水を受けるドレン皿と、前記機械室内に配置され、前記冷却器と共に冷凍サイクルを形成する圧縮機および放熱器および放熱器用送風機と前記放熱器用送風機の風下側に配置し、前記ドレン皿からの結露水を受けて蒸発させる蒸発皿を具備する構成とし、前記空調ユニットを、前記貯蔵室の天面における前記扉体に近いコーナー部に配置し、さらに前記操作手段を、前記空調ユニットの前記扉体側から目視できる側面に設けたものである。
【００３２】
かかる構成とすることにより、空調ユニットと操作手段の電源接続コード類の接続において、接続コードを短くでき、接続部の保護のためのカバーも不要となり、低コスト化がはかれるものである。
【００３３】
さらに、前記本体の側壁を、前記貯蔵室の側壁と略面一となるように配置することにより、前記蒸発皿のドレンオーバーフロー口を、前記貯蔵室の天井面にかからない位置に配置することができ、扉体の不完全閉塞等に起因して結露水が蒸発皿からオーバーフローした場合であっても、前記結露水が前記貯蔵室の天井面から貯蔵室内に滴下し、貯蔵室内の収納物品を損傷することを防止することができる。
【００３４】
請求項２に記載の発明は、請求項１に記載の発明において、前記操作手段を設けた空調ユニットの側面を、前記扉体と同面に位置する側面としたものである。
【００３５】
かかることにより、前記操作手段の設定内容を、扉体がある、所謂正面から確認することができ、確認作業が極めて容易に行え、また操作手段の操作も正面から設定内容を確認しながら行えるため、設定ミスを抑制することができ、利便性をはかることができる。
【００３６】
請求項３に記載の発明は、請求項１または２に記載の発明において、前記貯蔵室の扉体と対向する開口周縁に、結露防止用のヒーターを配置し、該ヒーターの配線を、前記貯蔵室の天面から前記空調ユニットの機械室側の床面へ直接引き込み、前記空調ユニットの制御装置へ接続して電源供給を行うようにしたものである。
【００３７】
かかる構成とすることにより、前記空調ユニットと結露防止用のヒーターの接続に関し、接続部の保護のためのカバーが不要となり、低コスト化がはかれるものである。
【００３８】
請求項４に記載の発明は、請求項１から３のいずれか一項に記載の発明において、前記貯蔵室の床面下部にドレン受けを設け、前記ドレン受けに、前記空調ユニットから排出される結露水を導くドレンホースを接続したものである。
【００３９】
かかることにより、前記空調ユニットより結露水がオーバーフローした場合等でも前記ドレンホースを介して結露水をドレン受けへ導くことができ、その結果、前記オーバーフローに伴って貯蔵室の天井面に結露水が溢れ出ることがなく、また、前記天井面からの結露水の滴下に起因した貯蔵物品の損傷も防止することができる。
【００４０】
請求項５に記載の発明は、請求項１から４のいずれか一項に記載の発明において、前記空調ユニットの少なくとも吹出し口を、本体の冷却室におけるコーナー部に設けたものである。
【００４１】
かかる構成とすることにより、貯蔵室内において、空調空気を対角に送風することができ、その結果、対角を挟む壁に沿って空調空気を滞留させることができ、温度調節した空気の前記貯蔵室内での分布を良好にし、温度分布のムラを少なくして貯蔵環境を良化することができる。
【００４２】
以下、図面を参照しながら本発明の実施の形態について説明する。なお、この実施の形態によって本発明が限定されるものではない。
【００４３】
（実施の形態１）
図１は、本発明の実施の形態１における物品貯蔵装置の一部を切欠いた斜視図である。図２は、同実施の形態１における物品貯蔵装置に搭載する空調ユニットの内部構造を示す平面断面図である。なお、本実施の形態１において、物品貯蔵装置を、穀物、野菜等の貯蔵用とする農産物低温貯蔵庫（以下、貯蔵庫と称す）を例に説明する。
【００４４】
まず、図１により、貯蔵庫の構成について説明する。図１において、貯蔵庫１は、穀物等の物品（図示せず）を収納する貯蔵室２と、貯蔵室２の前面（正面）の開口を開閉する扉体３より構成されている。また、貯蔵室２の開口周縁には、結露防止のための防露ヒーター２３が配置されている。さらに、貯蔵室２の天井面における扉体３に近いコーナー部には、貯蔵室２内を冷却する冷却ユニット（本発明の空調ユニットに相当）５が搭載され、また、貯蔵室２の前面でかつ床面下部には、扉体３の下部および扉ヒンジ（図示せず）側から滴下する結露水を受けることができるように幅広く形成された樋状のドレン受け４が設けられている。また、冷却ユニット５の後述する箇所には、ドレンホース６の一端が接続され、ドレンホース６の他端は、ドレン受け４に開口している。
【００４５】
ここで、必要に応じてドレン受け４を、防露ヒーター２３の一部と熱交換できるように構成することにより、ドレン受け４に溜まった結露水を円滑に蒸発させることができる。前述の熱交換できる構成は、防露ヒーター２３の一部をドレン受け４に引き回す等、周知の構成でよい。
【００４６】
次に、図２により、冷却ユニット５について説明する。図２において、冷却ユニット５は、内部が、断熱体１０によって囲われた冷却室９と、機械室８に区画された本体７を具備している。そして、機械室８には、冷凍サイクルを構成する圧縮機１１と、凝縮器１２と、圧縮機１１の冷却作用も兼ねる凝縮器用の送風機１３と、送風機１３の送風経路に位置した蒸発皿１４がそれぞれ配置されている。
【００４７】
また、機械室８の側壁には、凝縮器１２に対向した流入口８ａと、流入口８ａの側壁と異なる側壁で圧縮機１１と対向した流出口８ｂが設けられ、蒸発皿１４は、送風機１３と圧縮機１１の間に位置している。さらに、蒸発皿１４には、圧縮機１１の吐出側である高圧管１１ａが熱交換可能に引き回されており、蒸発皿１４に溜まった結露水は、この高圧管１１ａの熱によって加熱され、また、送風機１３が運転されていれば気化促進を受けながら蒸発する。
【００４８】
さらに、機械室８の流入口８ａと対向する側壁、すなわち、前面の側壁には、冷却ユニット５の運転内容を設定する操作部（本発明の操作手段に相当）２１が設けられ、この操作部２１と近い位置に、操作部２１の設定内容に基づいて圧縮機１１、送風機１３、防露ヒーター２３および後述する送風機１６等の運転を制御する制御装置（電装品箱）２２が配置されている。
【００４９】
ここで、防露ヒーター２３と制御装置２２との接続は、リード線（図示せず）を、機械室８の底面に形成した貫通孔２３ａを貫通させることによって短い距離で行なうことができ、しかも、接続部の保護のためのカバーが不要となる。したがって、貫通孔２３ａは、扉体３のヒンジ部（図示せず）に近い位置が好ましい。
【００５０】
また、操作部２１は、設定内容の目視確認等を考慮すると、貯蔵室２の扉体３と同じ側の側壁、すなわち前面に設けることが最も好ましいが、扉体３側から目視できる範囲であれば、前面に限るものではなく、図１の破線で示す如く機械室８の流出口８ｂを具備する側壁、あるいは流出口８ｂを具備する側壁と対向する冷却室９側の側壁に設けることもできる。
【００５１】
さらに、冷却室９には、圧縮機１１、凝縮器１２と共に冷凍サイクルを構成する減圧手段（図示せず）および蒸発器１５と、蒸発器用の送風機１６と、蒸発器１５に結露した結露水を受けるドレン皿１７が配置され、また冷却室９の底面には、貯蔵室２の天井面より貯蔵室２内に開口した吸込み口１８と吹出し口１９が設けられている。したがって、蒸発器１５と送風機１６は、吸込み口１８と吹出し口１９の間に位置している。
【００５２】
また、冷却室９のドレン皿１７には、ドレン皿１７に溜まった結露水を、断熱体１０を貫通して蒸発皿１４へ導くドレン管路２０が設けられている。
【００５３】
さらに、蒸発皿１４には、蒸発皿１４に溜まった結露水の水位が所定の値を超えると、その値以上の結露水を冷却ユニット５の外部に導く溢水管１４ａが設けられている。この溢水管１４ａは、冷却ユニット５から延出しており、前述のドレンホース６の一端が接続されている。また、溢水管１４ａの延出度合いは、その開口位置が貯蔵庫１の側壁から十分に突出しており、万が一ドレンホース６の接続が外れた場合であっても、溢水管１４ａから貯蔵室２の天井面に結露水が流れないように配慮されている。
【００５４】
次に、上記構成からなる貯蔵庫１の冷却貯蔵を行う動作について説明する。
【００５５】
圧縮機１１および送風機１３、１６を運転することにより、冷凍サイクルが形成され、凝縮器１２では、矢印Ｘ（図２）で示す如く気流効果を得ながら放熱作用が行われ、蒸発器１５側では、矢印Ｙで示す如く気流を得ながら冷却（吸熱）作用が行われる。
【００５６】
したがって、貯蔵室２内では、冷却ユニット５の吸込み口１８から吸込まれ、蒸発器１５を通過した冷気が吹出し口１９から貯蔵室２内へ供給される空気の循環によって冷却が行われる。これによって、貯蔵室２内に収納した穀物等の貯蔵物品を貯蔵することができる。
【００５７】
また、貯蔵室２内は、操作部２１で設定した温度に維持されるように制御装置２２が圧縮機１１等の運転を制御することにより、所定の温度範囲に維持される。
【００５８】
かかる冷却運転に伴い、蒸発器１５に結露が生じ、結露水はドレン皿１７へ滴下する。そしてドレン皿１７に溜まる結露水の量が増加すると、ドレン皿１７内の結露水は、ドレン管路２０を通って機械室８に設けた蒸発皿１４へ流れる。この蒸発皿１４には、圧縮機１１の高圧管１１ａが熱交換可能に引き回されており、前記結露水は、この高圧管１１ａの熱によって蒸発される。このとき、送風機１２による気流によってもその気化作用が促進され、結露水は、溢水管１４ａから流れ出ることなく蒸発する。
【００５９】
一方、上述の冷却運転の長時間にわたる連続運転が行われると、蒸発器１５の結露水が霜となり、この霜が成長して蒸発器１５の冷却作用を阻害することから、制御装置２２によって蒸発器１５に付着した霜を排除する、所謂除霜運転が行われる。
【００６０】
かかる除霜運転が行われると、ドレン皿１７には、短時間で霜から溶融した水が多量に溜まり、蒸発皿１４へ流れる。蒸発皿１４では、圧縮機１１の高圧管１１ａによる加熱作用と、送風機１３による気化促進作用によって水の蒸発を行うが、蒸発量を上回って水が発生すると、その水位は、溢水管１４ａに到達する。したがって、蒸発皿１４に多量の水が溜まった場合は、この溢水管１４ａからドレンホース６を流れ、貯蔵室２の前面下部に設けたドレン受け４へ流れるため、冷却ユニット５から溢れて貯蔵庫１の天井面に流出することはない。
【００６１】
ここで、必要に応じてドレン受け４を防露ヒーター２３等で加熱することにより、ドレン受け４に溜まった結露水を、自然蒸発に加えて積極的に蒸発させることができる。
【００６２】
また、万が一ドレンホース６が溢水管１４ａから外れてしまった場合でも、溢水管１４ａは、貯蔵庫１の側壁から十分に突出しているため、前述の結露水が冷却ユニット５から溢れて貯蔵庫１の天井面に流出することはない。
【００６３】
上述の如く、貯蔵装置１は、冷却ユニット５より結露水がオーバーフローした場合等でも、ドレンホース６を介して結露水をドレン受け４へ導くことができ、その結果、冷却室９で発生した結露水を、貯蔵室２の天井面に滴下することなく、貯蔵装置１の外部へ排出することができるもので、結露水が貯蔵室２の天井面から貯蔵室２内に滴下し、貯蔵室２内の収納物品を損傷することを防止し、貯蔵物品の貯蔵において信頼性を高めることができる。
【００６４】
また、冷却ユニット５に操作部２１を設けた構成であるため、操作部２１と制御装置２２の接続部を冷却ユニット５の内部に設けることができる。その結果、コード類を短くすることができ、また、接続部の保護のためのカバーも不要となり、部品数の削減とあわせて低コストとすることができる。
【００６５】
さらに、貯蔵装置１の前面の側壁、すなわち貯蔵装置１の扉体３側から目視できる部分に、操作部２１を設け、さらに、冷却ユニット５を、貯蔵室２の扉側（前面）のコーナー部に配置したことにより、操作部２１の目視確認および操作を扉体３側から行うことができ、利便性を向上することができるものである。
【００６６】
さらに、冷却ユニット５を、扉体３に近い前方側のコーナー部に配置することにより、冷却ユニット５の設置作業性、サービス作業性等もよくなる。
【００６７】
また、貯蔵室２の開口周縁に配置した防露ヒーター２３の配線を、貯蔵室２の天井面から冷却ユニット５の機械室８内へ直接引き込み、制御装置２２と接続したことにより、冷却ユニット５と防露ヒーター２３の接続に関し、接続部の保護のためのカバーが不要となり、低コスト化がはかれる。
【００６８】
（実施の形態２）
図３は、本発明の実施の形態２における貯蔵装置に搭載する空調ユニットの内部構成を示す平面断面図である。図４は、同実施の形態２における物品貯蔵装置の内部における気流の分布状態を説明する平面図である。なお、本実施の形態２において、物品貯蔵装置を実施の形態１と同じ農産物低温貯蔵庫（以下、貯蔵庫と称す）を例にし、また実施の形態１と同様の構成要件については同一の符号を付して詳細な説明は省略する。
【００６９】
図３において、冷却ユニット（本発明の空調ユニットに相当）５は、実施の形態１と同様の構成部材より構成されており、実施の形態１と相違する構成は、冷却室９において、蒸発器１５および送風機１６を対角方向に配置し、この蒸発器１５と送風機１６を挟んで前述の対角とは異なる対角位置に台形状の吸込み口１８ａおよび吹出し口１９ａを配置した構成である。
【００７０】
なお、機械室８側の構成、およびドレン皿１７の結露水を蒸発皿１４へ導くドレン管路２０等の構成については、先の実施の形態１と同様である。また、吹出し口１９ａには、周知の如く、気流の水平方向への規制と、ショートサーキットを抑制する規制部材２４を取付けている。
【００７１】
次に、図４に基づき、冷却ユニット５による貯蔵室２内の気流の分布状態について説明する。冷却ユニット５は、実施の形態１と同様に、貯蔵庫１の扉体３に近いコーナー部に設置されている。
【００７２】
したがって、冷却ユニット５を運転した場合、冷却室９で冷却された空気は、吹出し口１８ａより矢印ｘで示すように冷却ユニット５の設置位置に対して貯蔵室２内の対角方向に吹出される気流を形成し、壁に当たることにより、矢印ｙで示すように広がる気流となる。
【００７３】
広がった気流は、それぞれの壁面に沿って流れ、貯蔵室２内に貯蔵された物品２５を包み込むような気流となり、冷却ユニット５の吸込み口１８ａへ吸込まれ、さらに冷却室９で冷却され、以下、前述の流れで循環する。
【００７４】
このように、蒸発器１５と送風機１６を挟んで対角位置に台形状の吸込み口１８ａおよび吹出し口１９ａを配置した構成とし、冷却ユニット５を貯蔵庫１のコーナー部に配置することにより、冷却ユニット５からは、貯蔵室２の対角方向へ冷気を吹出すことができ、吹出された冷気は、貯蔵された物品２５を包み込むように分散して流れるため、貯蔵室２内の温度分布を一様化し易くなる。
【００７５】
さらには、吹出し口１９ａに冷風のショートサーキットを防ぐ規制部材２４を冷却室９の対角線方向に向けることとなるため、扉体３の正面側から見て蒸発器用の送風機１６が吹出し口１９ａから見え難くなり、従来よりも手が届き難くなって回転物に対する安全性も向上する。
【００７６】
なお、本実施の形態１および２においては、空調ユニット５について、貯蔵室２内を冷却する冷却ユニットを例に説明したが、貯蔵室２内を所定温度範囲に維持する恒温ユニット、あるいは所定湿度範囲に維持する除湿ユニット等についても同様に実施できるものである。
【産業上の利用可能性】
【００７７】
本発明にかかる物品貯蔵装置は、低コストで、操作性、視認性を良化することができ、穀物等の農産物貯蔵に限るものではなく、除湿・乾燥・恒温管理を必要とする物品貯蔵装置として幅広く利用することができるものである。
【図面の簡単な説明】
【００７８】
【図１】本発明の実施の形態１における物品貯蔵装置の一部を切欠いた斜視図
【図２】同実施の形態１における物品貯蔵装置に搭載する空調ユニットの内部構造を示す平面断面図
【図３】本発明の実施の形態２における貯蔵装置に搭載する空調ユニットの内部構成を示す平面断面図
【図４】同実施の形態２における物品貯蔵装置の内部における気流の分布状態を説明する平面図
【図５】従来技術を示す農産物低温貯蔵庫の斜視図
【図６】従来技術を示す冷却ユニットの断面図
【符号の説明】
【００７９】
１    貯蔵庫
２    貯蔵室
３    扉体
４    ドレン受け
５    冷却ユニット（空調ユニット）
６    ドレンホース
７    本体
８    機械室
９    冷却室
１０    断熱体
１１    圧縮機
１１ａ  高圧管
１２    凝縮器
１３    凝縮器用の送風機
１４    蒸発皿
１４ａ  溢水管
１５    蒸発器
１６    蒸発器用の送風機
１７    ドレン皿
１８    吸込み口
１８ａ  吸込み口
１９    吹出し口
１９ａ  吹出し口
２０    ドレン管路
２１    操作部（操作手段）
２２    制御装置
２３    防露ヒーター
２３ａ  貫通孔
２５    物品
【図１】
2010096467.tif 000003
【図２】
2010096467.tif 000004
【図３】
2010096467.tif 000005
【図４】
2010096467.tif 000006
【図５】
2010096467.tif 000007
【図６】
2010096467.tif 000008